(57)【要約】【課題】本発明は、ファンアウト配線の二つの導電層の間における静電気リスクを減少させることにより、製品良品率の向上とコスト節約が可能な、表示パネルのファンアウト配線構造を提供する。【解決手段】本発明の表示パネルは、表示領域と、接合領域とからなるとともに、表示領域には複数本の信号線が設けられ、接合領域にはパッドが設けられる。ファンアウト配線構造は、表示領域と接合領域の間に設けられた複数本のファンアウト配線からなる。ファンアウト配線は、二層導線構造をなし、二層導線構造は、第一及び第二導電層からなる。更に、ファンアウト配線の中央エリア部の位置における第一及び第二導電層は、表示パネルがある平面を投影面とした場合に少なくとも一部が重ならないように設けられる。【選択図】図2
2016527554.tif 000002
【特許請求の範囲】
【請求項１】
表示パネルのファンアウト配線構造であって、
前記表示パネルは、表示領域と、接合領域とからなり、
前記表示領域には、複数本の信号線が設けられ、
前記接合領域には、パッドが設けられ、
更に、前記ファンアウト配線構造は、前記表示領域と前記接合領域の間に設けられた複数本のファンアウト配線からなり、
前記ファンアウト配線の第一端は、前記パッドと接続され、前記ファンアウト配線の第二端は、前記信号線と接続され、
また更に、前記ファンアウト配線には、前記第一端と前記第二端の間に位置する中央エリア部が設けられ、且つ前記ファンアウト配線は二層導線構造をなし、
前記二層導線構造は、第一導電層と、第二導電層とからなるとともに、
前記中央エリア部の位置における前記第一導電層と前記第二導電層は、前記表示パネルがある平面を投影面とした場合に少なくとも一部が重ならないように設けられ、
且つ前記第一端と前記第二端の位置における前記第一導電層と前記第二導電層は、前記表示パネルがある平面を投影面とした場合に少なくとも一部が重ならないように設けられ、
前記第一導電層は、前記第二導電層の下層に設けられ、
また更に、前記二層導線構造には、絶縁層と不導態化層が設けられ、
前記絶縁層は、前記第一導電層と前記第二導電層の間に設けられ、
前記不導態化層は、前記第二導電層と前記絶縁層の上に設けられることを特徴とする、表示パネルのファンアウト配線構造。
【請求項２】
更に、前記ファンアウト配線の形状は、直線・曲線・直線と曲線の組合せの中のいずれか一つであるとともに、複数本の前記ファンアウト配線のインピーダンスは、いずれも一致することを特徴とする、請求項１に記載のファンアウト配線構造。
【請求項３】
表示パネルのファンアウト配線構造であって、
前記表示パネルは、表示領域と、接合領域とからなり、
前記表示領域には、複数本の信号線が設けられ、
前記接合領域には、パッドが設けられ、
更に、前記ファンアウト配線構造は、前記表示領域と前記接合領域の間に設けられた複数本のファンアウト配線からなり、
前記ファンアウト配線の第一端は、前記パッドと接続され、前記ファンアウト配線の第二端は、前記信号線と接続され、
また更に、前記ファンアウト配線には、前記第一端と前記第二端の間に位置する中央エリア部が設けられ、且つ前記ファンアウト配線は二層導線構造をなし、
前記二層導線構造は、第一導電層と、第二導電層とからなるとともに、前記中央エリア部の位置における前記第一導電層と前記第二導電層は、前記表示パネルがある平面を投影面とした場合に少なくとも一部が重ならないように設けられることを特徴とする、表示パネルのファンアウト配線構造。
【請求項４】
更に、前記第一導電層は、前記第二導電層の下層に設けられ、
また更に、前記二層導線構造には、絶縁層と不導態化層が設けられ、
前記絶縁層は、前記第一導電層と前記第二導電層の間に設けられ、
前記不導態化層は、前記第二導電層と前記絶縁層の上に設けられることを特徴とする
ことを特徴とする、請求項３に記載のファンアウト配線構造。
【請求項５】
更に、前記中央エリア部の前記第一導電層と前記第二導電層は、前記表示パネルがある平面を投影面とした場合に全く重ならないように設けられることを特徴とする、請求項４に記載のファンアウト配線構造。
【請求項６】
更に、前記中央エリア部の前記第一導電層と前記第二導電層は、前記表示パネルがある平面を投影面とした場合に一部が重ならないように設けられることを特徴とする、請求項４に記載のファンアウト配線構造。
【請求項７】
更に、前記第一導電層と前記第二導電層は、いずれも金属層であることを特徴とする、請求項４に記載のファンアウト配線構造。
【請求項８】
更に、前記第一導電層は金属層であり、且つ前記第二導電層は酸化インジウムスズ導電薄膜であるか、或は、前記第一導電層は酸化インジウムスズ導電薄膜であり、且つ前記第二導電層は金属層であることを特徴とする、請求項４に記載のファンアウト配線構造。
【請求項９】
更に、前記第一導電層と前記第二導電層は、いずれも酸化インジウムスズ導電薄膜であることを特徴とする、請求項４に記載のファンアウト配線構造。
【請求項１０】
更に、前記第一端と前記第二端の位置における前記第一導電層と前記第二導電層は、前記表示パネルがある平面を投影面とした場合に少なくとも一部が重ならないように設けられることを特徴とする、請求項３に記載のファンアウト配線構造。
【請求項１１】
更に、前記ファンアウト配線の形状は、直線・曲線・直線と曲線の組合せの中のいずれか一つであるとともに、複数本の前記ファンアウト配線のインピーダンスは、いずれも一致することを特徴とする、請求項３に記載のファンアウト配線構造。
【請求項１２】
表示パネルであって、
前記表示パネルは、表示領域と、接合領域とからなり、
前記表示領域には、複数本の信号線が設けられ、
前記接合領域には、パッドが設けられ、
更に、前記ファンアウト配線構造は、前記表示領域と前記接合領域の間に設けられた複数本のファンアウト配線からなり、
前記ファンアウト配線の第一端は、前記パッドと接続され、前記ファンアウト配線の第二端は、前記信号線と接続され、
また更に、前記ファンアウト配線には、前記第一端と前記第二端の間に位置する中央エリア部が設けられ、且つ前記ファンアウト配線は二層導線構造をなし、
前記二層導線構造は、第一導電層と、第二導電層とからなるとともに、前記中央エリア部の位置における前記第一導電層と前記第二導電層は、前記表示パネルがある平面を投影面とした場合に少なくとも一部が重ならないように設けられることを特徴とする、表示パネル。
【請求項１３】
更に、前記第一導電層は、前記第二導電層の下層に設けられ、
また更に、前記二層導線構造には、絶縁層と不導態化層が設けられ、
前記絶縁層は、前記第一導電層と前記第二導電層の間に設けられ、
前記不導態化層は、前記第二導電層と前記絶縁層の上に設けられることを特徴とする
ことを特徴とする、請求項１２に記載の表示パネル。
【請求項１４】
更に、前記中央エリア部の前記第一導電層と前記第二導電層は、前記表示パネルがある平面を投影面とした場合に全く重ならないように設けられることを特徴とする、請求項１３に記載の表示パネル。
【請求項１５】
更に、前記中央エリア部の前記第一導電層と前記第二導電層は、前記表示パネルがある平面を投影面とした場合に一部が重ならないように設けられることを特徴とする、請求項１３に記載の表示パネル。
【請求項１６】
更に、前記第一導電層と前記第二導電層は、いずれも金属層であることを特徴とする、請求項１３に記載の表示パネル。
【請求項１７】
更に、前記第一導電層は金属層であり、且つ前記第二導電層は酸化インジウムスズ導電薄膜であるか、或は、前記第一導電層は酸化インジウムスズ導電薄膜であり、且つ前記第二導電層は金属層であることを特徴とする、請求項１３に記載の表示パネル。
【請求項１８】
更に、前記第一導電層と前記第二導電層は、いずれも酸化インジウムスズ導電薄膜であることを特徴とする、請求項１３に記載の表示パネル。
【請求項１９】
更に、前記第一端と前記第二端の位置における前記第一導電層と前記第二導電層は、前記表示パネルがある平面を投影面とした場合に少なくとも一部が重ならないように設けられることを特徴とする、請求項１２に記載の表示パネル。
【請求項２０】
更に、前記ファンアウト配線の形状は、直線・曲線・直線と曲線の組合せの中のいずれか一つであるとともに、複数本の前記ファンアウト配線のインピーダンスは、いずれも一致することを特徴とする、請求項１２に記載の表示パネル。
【発明の詳細な説明】
【技術分野】
【０００１】
本発明は、表示技術に関し、特に、表示パネル及びそのファンアウト配線構造に関する。
【背景技術】
【０００２】
情報社会の発展に伴う表示装置に対する需要の高まりを受けて、液晶表示パネル業界は急速に発展している。その中で、コスト削減、及び製品良品率と製品品質の向上は、液晶表示パネル業界が重点的に取り組むべき課題となっている。
【０００３】
液晶表示パネルは、表示領域と、接合領域とからなる。表示領域には、複数本の信号線が設けられ、接合領域にはパッドが設けられる。表示領域と接合領域の間には、ファンアウト配線が設けられる。ファンアウト配線は、パッドと信号線の間に接続される。ファンアウト配線には、単層と二層導線構造の二種類がある。現在の技術による二層導線構造は、二つの導電層からなるとともに、二つの導電層が完全に重なり合っている。このため、液晶表示パネルの製造過程において上下二つの導電層の間に静電気が生じ易く、場合によっては破損してしまうこともあり、液晶表示パネルの製品良品率の低下と経済的損失を招いている。
【０００４】
よって、上記の技術的問題を解決可能な、表示パネル及びそのファンアウト配線構造が求められている。
【発明の概要】
【発明が解決しようとする課題】
【０００５】
上記に鑑み、本発明は、ファンアウト配線の二つの導電層の間における静電気リスクを減少させることにより、製品良品率の向上とコスト節約が可能な、表示パネル及びそのファンアウト配線構造を提供することを目的とする。
【課題を解決するための手段】
【０００６】
上述の目的を達成するために、本発明は、表示パネルのファンアウト配線構造を提供する。表示パネルは、表示領域と、接合領域とからなる。表示領域には、複数本の信号線が設けられ、接合領域には、パッドが設けられる。ファンアウト配線構造は、表示領域と接合領域の間に設けられた複数本のファンアウト配線からなる。ファンアウト配線の第一端は、パッドと接続され、ファンアウト配線の第二端は、信号線と接続される。更にファンアウト配線には、第一端と第二端の間に位置する中央エリア部が設けられ、且つファンアウト配線は二層導線構造をなす。二層導線構造は、第一導電層と、第二導電層とからなるとともに、中央エリア部の部分における第一導電層と第二導電層は、表示パネルがある平面を投影面とした場合に少なくとも一部が重ならないように設けられる。また、第一端と第二端の部分における第一導電層と第二導電層は、表示パネルがある平面を投影面とした場合に少なくとも一部が重ならないように設けられる。第一導電層は、第二導電層の下層に設けられる。更に二層導線構造には、絶縁層と不導態化層が設けられ、絶縁層は第一導電層と第二導電層の間に設けられ、不導態化層は第二導電層と絶縁層の上に設けられる。
【０００７】
このうち、ファンアウト配線の形状は、直線、曲線、或はその組合せであるとともに、各ファンアウト配線のインピーダンスは一致する。
【０００８】
また、上述の目的を達成するために、本考案は、もう一つの表示パネルのファンアウト配線構造を提供する。表示パネルは、表示領域と、接合領域とからなる。表示領域には、複数本の信号線が設けられ、接合領域には、パッドが設けられる。ファンアウト配線構造は、表示領域と接合領域の間に設けられた複数本のファンアウト配線からなる。ファンアウト配線の第一端は、パッドと接続され、ファンアウト配線の第二端は、信号線と接続される。更にファンアウト配線には、第一端と第二端の間に位置する中央エリア部が設けられ、且つファンアウト配線は二層導線構造をなす。二層導線構造は、第一導電層と、第二導電層とからなるとともに、中央エリア部の部分における第一導電層と第二導電層は、表示パネルがある平面を投影面とした場合に少なくとも一部が重ならないように設けられる。
【０００９】
このうち、第一導電層は、第二導電層の下層に設けられる。更に二層導線構造には、絶縁層と不導態化層が設けられ、絶縁層は第一導電層と第二導電層の間に設けられ、不導態化層は第二導電層と絶縁層の上に設けられる。
【００１０】
このうち、中央エリア部の第一導電層と第二導電層は、表示パネルがある平面を投影面とした場合に、全く重ならないように設けられる。
【００１１】
このうち、中央エリア部の第一導電層と第二導電層は、表示パネルがある平面を投影面とした場合に、一部が重ならないように設けられる。
【００１２】
このうち、第一導電層と第二導電層は、いずれも金属層である。
【００１３】
このうち、第一導電層は金属層であり、第二導電層は酸化インジウムスズ導電薄膜であるか、或は、第一導電層は酸化インジウムスズ導電薄膜であり、第二導電層は金属層である。
【００１４】
このうち、第一導電層と第二導電層は、いずれも酸化インジウムスズ導電薄膜である。
【００１５】
また、第一端と第二端の部分における第一導電層と第二導電層は、表示パネルがある平面を投影面とした場合に少なくとも一部が重ならないように設けられる。
【００１６】
このうち、ファンアウト配線の形状は、直線、曲線、或はその組合せであるとともに、各ファンアウト配線のインピーダンスは一致する。
【００１７】
また更に、上述の目的を達成するために、本発明は、表示パネルを提供する。表示パネルは、表示領域と、接合領域とからなる。表示領域には、複数本の信号線が設けられ、接合領域には、パッドが設けられる。ファンアウト配線構造は、表示領域と接合領域の間に設けられた複数本のファンアウト配線からなる。ファンアウト配線の第一端は、パッドと接続され、ファンアウト配線の第二端は、信号線と接続される。更にファンアウト配線には、第一端と第二端の間に位置する中央エリア部が設けられ、且つファンアウト配線は二層導線構造をなす。二層導線構造は、第一導電層と、第二導電層とからなるとともに、中央エリア部の部分における第一導電層と第二導電層は、表示パネルがある平面を投影面とした場合に少なくとも一部が重ならないように設けられる。
【００１８】
このうち、第一導電層は、第二導電層の下層に設けられる。更に二層導線構造には、絶縁層と不導態化層が設けられ、絶縁層は第一導電層と第二導電層の間に設けられ、不導態化層は第二導電層と絶縁層の上に設けられる。
【００１９】
このうち、中央エリア部の第一導電層と第二導電層は、表示パネルがある平面を投影面とした場合に、全く重ならないように設けられる。
【００２０】
このうち、中央エリア部の第一導電層と第二導電層は、表示パネルがある平面を投影面とした場合に、一部が重ならないように設けられる。
【００２１】
このうち、第一導電層と第二導電層は、いずれも金属層である。
【００２２】
このうち、第一導電層は金属層であり、第二導電層は酸化インジウムスズ導電薄膜であるか、或は第一導電層は酸化インジウムスズ導電薄膜であり、第二導電層は金属層である。
【００２３】
このうち、第一導電層と第二導電層は、いずれも酸化インジウムスズ導電薄膜である。
【００２４】
また、第一端と第二端の部分における第一導電層と第二導電層は、表示パネルがある平面を投影面とした場合に少なくとも一部が重ならないように設けられる。
【００２５】
このうち、ファンアウト配線の形状は、直線、曲線、或はその組合せであるとともに、各ファンアウト配線のインピーダンスは一致する。
【発明の効果】
【００２６】
本発明は、従来技術と比較して、以下の有益な効果を備える。即ち、本発明は、表示パネルがある平面を投影面とした場合に少なくとも一部が重ならないように設けられた第一導電層と第二導電層によって、ファンアウト配線の中の二つの導電層の間における静電気リスクを減少させることが出来るため、製品良品率の向上とコスト節約が可能になる。
【図面の簡単な説明】
【００２７】
【図１】本発明の表示パネルの構造を示した概略図である。
【図２】本発明の実施例１のファンアウト配線における第一導電層と第二導電層について、表示パネルのある平面を投影面とした場合の概略図である。
【図３】本発明の実施例１のファンアウト配線を、図２のＡ−Ａ方向において示した断面図である。
【図４】本発明の実施例１のファンアウト配線を、図２のＢ−Ｂ方向において示した断面図である。
【図５】本発明の実施例１のファンアウト配線を、図２のＣ−Ｃ方向において示した断面図である。
【図６】本発明の実施例２のファンアウト配線における第一導電層と第二導電層について、表示パネルのある平面を投影面とした場合の概略図である。
【図７】本発明の実施例２のファンアウト配線を、図６のＤ−Ｄ方向において示した断面図である。
【発明を実施するための形態】
【００２８】
以下では、図と実施例を示して、本発明について詳しく説明する。
【００２９】
（実施例１）
図１を参照する。図１は、本発明の表示パネルの構造を示した概略図である。実施例１において、表示パネル１は、表示領域１１と、接合領域１２とからなる。
【００３０】
表示領域１１には、複数本の信号線１１１ａ・１１１ｂ・１１１ｃが設けられ、接合領域１２には、パッド１２１が設けられる。
【００３１】
ファンアウト配線構造１３は、表示領域１１と接合領域１２の間に設けられた複数本のファンアウト配線１３１ａ・１３１ｂ・１３１ｃからなる。ファンアウト配線１３１ａ・１３１ｂ・１３１ｃの第一端は、パッド１２１と接続され、ファンアウト配線１３１ａ・１３１ｂ・１３１ｃの第二端は、信号線１１１ａ・１１１ｂ・１１１ｃ（例えば、信号線は表示パネル１上の走査信号線或はデータ信号線である）と接続される。ファンアウト配線１３１ａ・１３１ｂ・１３１ｃの形状は、直線、曲線、或は直線と曲線の組合せであるとともに、各ファンアウト配線１３１ａ・１３１ｂ・１３１ｃのインピーダンスは一致する。
【００３２】
各ファンアウト配線１３１ａ・１３１ｂ・１３１ｃは、第一導電層と第二導電層とからなる二層導線構造である。図２を参照する。図２は、本発明の実施例１のファンアウト配線における第一導電層と第二導電層について、表示パネルのある平面を投影面とした際の概略図である。実施例１において、ファンアウト配線１３１ａを例に取ると、ファンアウト配線１３１ａは、第一端１３２と、第二端１３３と、第一端１３２と第二端１３３の間に位置する中央エリア部１３４とからなる。
【００３３】
更に、ファンアウト配線１３１ａは、二層導線構造である。二層導線構造は、第一導電層１３５と、第二導電層１３６とからなる。
【００３４】
中央エリア部１３４における第一導電層１３５と第二導電層１３６は、表示パネル１がある平面を投影面とした場合に少なくとも一部が重ならないように設けられる。具体的に述べると、実施例１において、中央エリア部１３４の第一導電層１３５と第二導電層１３６は、表示パネル１がある平面を投影面とした場合に全く重ならないように設けられることが望ましい。
【００３５】
図３を参照する。図３は、本発明の実施例１のファンアウト配線を、図２のＡ−Ａ方向において示した断面図である。第一導電層１３５は、第二導電層１３６の下層に設けられる。更に、二層導線構造には、絶縁層１４３と不導態化層１４４が設けられる。絶縁層１４３は、第一導電層１３５と第二導電層１３６の間に設けられ、不導態化層１４４は、第二導電層１３６と絶縁層１４３の上に設けられる。実施例１において、第一導電層１３５と第二導電層１３６は、表示パネル１がある平面を投影面とした場合、第一導電層１３５の幅方向において全く重ならないように設けられる。
【００３６】
図４を参照する。図４は、本発明の実施例１のファンアウト配線を、図２のＢ−Ｂ方向において示した断面図である。第一端１３２の最末端部分において、第一導電層１３５と第二導電層１３６は完全に重なり合って設けられることが望ましい。これにより、表示パネル１の製造過程において第一導電層１３５と第二導電層１３６の末端を接続させる時の距離を縮小して、接続インピーダンスを減少させることが出来る。
【００３７】
実施例１において、第一端１３２の最末端（Ｂ−Ｂ）部分の第二導電層１３６は、第一導電層１３５の真上に設けられる（図４参照）。絶縁層１４３は、第一導電層１３５と第二導電層１３６の間に設けられ、不導態化層１４４は、第二導電層１３６と絶縁層１４３の上に設けられる。もちろん、その他の実施例では、第一端１３２と第二端１３３の位置における第一導電層１３５と第二導電層１３６は、表示パネル１がある平面を投影面とした場合に一部が重ならないように設けられるか、或は全く重ならないように設けられることも可能である。
【００３８】
図５を参照する。図５は、本発明の実施例１のファンアウト配線を、図２のＣ−Ｃ方向において示した断面図である。第二端１３３部分の第一導電層１３５と第二導電層１３６は、表示パネル１がある平面を投影面とした場合に一部が重ならないことが望ましい。尚、設置方法については、第一端１３２の構造と類似しているため、ここで重複して述べることはしない。
【００３９】
（実施例２）
図６を参照する。図６は、本発明の実施例２のファンアウト配線における第一導電層と第二導電層について、表示パネルのある平面を投影面とした場合の概略図である。実施例１との違いは、以下の点である。即ち、実施例２において、中央エリア部２３４の第一導電層２３５と第二導電層２３６は、表示パネル１がある平面を投影面とした場合に一部が重ならないように設けられることが望ましい。
【００４０】
図７を参照する。図７は、本発明の実施例２のファンアウト配線を、図６のＤ−Ｄ方向において示した断面図である。実施例２において、Ｄ−Ｄ部分の第二導電層２３６は、第一導電層２３５の斜め上に設けられる（図７参照）。
【００４１】
尚、以下の点に注意されたい。即ち、上述したいずれの実施例においても、第一導電層１３５・２３５と第二導電層１３６・２３６はいずれも金属層であるか、或は、第一導電層１３５・２３５は金属層であり第二導電層１３６・２３６は酸化インジウムスズ導電薄膜であるか、或は、第一導電層１３５・２３５は酸化インジウムスズ導電薄膜であり第二導電層１３６・２３６は金属層であるか、或は、第一導電層１３５・２３５と第二導電層１３６・２３６はいずれも酸化インジウムスズ導電薄膜である。
【００４２】
上述した各実施例は、技術的特徴を組合せ直すことによって新しい実施例を形成することが可能であり、ここで重複して述べることはしない。
【００４３】
従来技術と比較して、本発明は、表示パネルがある平面を投影面とした場合に少なくとも一部が重ならないように設けられた第一導電層と第二導電層によって、ファンアウト配線の中の二つの導電層の間における静電気リスクを減少させることが出来るため、製品良品率の向上とコスト節約が可能となる。
【００４４】
以上は、本発明の実施例について述べたに過ぎず、これにより本発明の請求範囲を限定するものではない。本発明の明細書及び図の内容を利用してなされた同等の効果を持つ構造や工程についての変更、或は、他の関連技術における直接的・間接的な運用は、いずれも本発明の特許保護の範囲内に含まれる。
【符号の説明】
【００４５】
１            表示パネル
１１          表示領域
１１１ａ      信号線
１１１ｂ      信号線
１１１ｃ      信号線
１２          接合領域
１２１        パッド
１３          ファンアウト配線構造
１３１ａ      ファンアウト配線
１３１ｂ      ファンアウト配線
１３１ｃ      ファンアウト配線
１３２        第一端
１３３        第二端
１３４        中央エリア部
１３５        第一導電層
１３６        第二導電層
１４３        絶縁層
１４４        不導態化層
２３４        中央エリア部
２３５        第一導電層
２３６        第二導電層
【図１】
2016527554.tif 000003
【図２】
2016527554.tif 000004
【図３】
2016527554.tif 000005
【図４】
2016527554.tif 000006
【図５】
2016527554.tif 000007
【図６】
2016527554.tif 000008
【図７】
2016527554.tif 000009
【国際調査報告】
2016527554.tif 000010
2016527554.tif 000011
2016527554.tif 000012
2016527554.tif 000013